(57)【要約】【課題】本発明は吸玉療法に基づいた自動式漢方理学療法設備を開示した。  【解決手段】主にベース及び前記ベースの前後端面に前後対称的に形成された調節溝を含み、前記調節溝の中には調節ブロックがスライドできるように設置され、後側の前記調節ブロックの後端には後支持板が固定的に設置され、前側の前記調節ブロックの前端には前支持板が固定的に設置され、本発明は調節できる機能と定位機能を有し、違う人に適応でき、本発明を使用して定位した後、本発明が自動的に背部で均一的にカッピングを行い、カッピングを自動的に施すことを実現し、施す人が手法に慣れていないため危険をもたらすことを避け、カッピングの効率を大いに上げ、労働力を節約し、カッピングのコストを下げる。【選択図】図１
2020195754.tif 000002
【特許請求の範囲】
【請求項１】
正面視で、主にベース及び前記ベースの前後端面に前後対称的に形成された調節溝を含み、前記調節溝の中には調節ブロックがスライドできるように設置され、後側の前記調節ブロックの後端には後支持板が固定的に設置され、前側の前記調節ブロックの前端には前支持板が固定的に設置され、前記後支持板と前記前支持板との間には定位機構とカッピング機構とが設置され、
前記定位機構は前記後支持板と前記前支持板との間に設置された左定位ロッドと、右定位ロッドとを含み、前記左定位ロッドと前記右定位ロッドとが左右にスライドできるように設置され、前記左定位ロッドが前記右定位ロッドの左側に位置しており、前記左定位ロッドと前記右定位ロッドとがそれぞれ左側の始点及び右側の終点に位置を定めることができ、
前記カッピング機構はガラス容器貯蔵箱を含み、前記ガラス容器貯蔵箱の中にはガラス容器貯蔵チャンバと推しロッドチャンバとが設置され、前記ガラス容器貯蔵チャンバが前記推しロッドチャンバと連通しており、前記推しロッドチャンバが下方へ開口しており、前記ガラス容器貯蔵チャンバの中には四つの吸玉が貯蔵され、前記吸玉の頂壁には上下に貫通している貫通孔が設置され、前記貫通孔の中には逆止め弁が設置され、前記吸玉の上端面には上方へ開口した環状溝が形成され、前記ガラス容器貯蔵チャンバの頂壁には左右にスライドできる連結ロッドが設置され、前記連結ロッドの左端が前記吸玉に当接しており、前記推しロッドチャンバの頂壁には電動推しロッドが固定的に設置され、前記電動推しロッドの下側には推しロッドが設置され、前記推しロッドの下端には推し板が固定的に設置され、前記推し板の中には抽気ポンプが固定的に設置され、前記抽気ポンプの下側には通気管が連結され、
前記カッピング機構と前記左定位ロッドとが同期運動し、前記定位機構が定位し終わった後、前記カッピング機構が起動してカッピングを行うことを特徴とする吸玉療法に基づいた自動式漢方理学療法設備。
【請求項２】
前記後支持板の中には前方へ開口した第二スライド溝が形成され、前記第二スライド溝の中には第二スライダと第三スライダとが設置され、前記第三スライダと前記第二スライダの前端面には装着軸が固定的に設置され、前記右定位ロッド及び前記左定位ロッドの後端が前記装着軸と回転できるように連結され、前記右定位ロッド及び前記左定位ロッドの前端面には固定軸が回転できるように設置され、前記前支持板の後端面には後方へ開口した軸スライド溝が形成され、前記固定軸が前記軸スライド溝の中にスライドできるように設置されたことを特徴とする請求項１に記載の吸玉療法に基づいた自動式漢方理学療法設備。
【請求項３】
前記第三スライダと前記第二スライダの後端面の中には後方へ開口した空き溝が形成され、前記第三スライダの左端面には伝動ロッドが固定的に設置され、前記伝動ロッドの右端が前記第二スライダと当接しており、前記後支持板の中には前記第二スライド溝の後側に位置しており、且つ前記第二スライド溝と連通しているリードスクリューチャンバが設置され、前記リードスクリューチャンバの右壁には下モータが固定的に設置され、前記下モータの左側には下リードスクリューが動力が伝達できるように連結され、前記下リードスクリューにはナットがネジ山により連結され、前記ナットの外面には二つの第一挿入板が固定的に設置され、左右の前記第一挿入板の間が九十度になるように設置され、右側の前記第一挿入板が前記第三スライダの中の前記空き溝の中に挿入され、前記ナットの中には左右に貫通している二つの定位孔が設置され、二つの前記定位孔の間の角度が九十度であり、前記後支持板の中には前記リードスクリューチャンバに連通している定位板溝が形成され、前記定位板溝の中には定位板がスライドできるように設置され、前記定位板と前記定位板溝の後壁との間には復帰ばねが連結され、前記定位板の後端面には前記後支持板の後側まで伸びている制御ロッドが固定的に設置され、前記定位板の前端面には後側の前記定位孔の中に挿入された定位ロッドが固定的に設置され、前記定位ロッドと前記リードスクリューチャンバの左右の長さが同じであることを特徴とする請求項２に記載の吸玉療法に基づいた自動式漢方理学療法設備。
【請求項４】
前記ガラス容器貯蔵箱が前記左定位ロッドと前記右定位ロッドとの上側に位置しており、前記左定位ロッドの左端面には固定板が固定的に設置され、前記ガラス容器貯蔵箱の左端面には連動ロッドが固定的に設置され、前記連動ロッドの中には下方へ開口したばねチャンバが設置され、前記ばねチャンバの中にはスライドロッドがスライドできるように設置され、前記スライドロッドの下端が前記固定板の上端面と当接し、前記スライドロッドと前記ばねチャンバの頂壁との間にはばねが連結されたことを特徴とする請求項３に記載の吸玉療法に基づいた自動式漢方理学療法設備。
【請求項５】
前記後支持板の前端面にはスタンド板が固定的に設置され、前記スタンド板の中には左方へ開口した第三スライド溝が形成され、前記第三スライド溝の中には上下にスライドできる第四スライダがスライドできるように設置され、前記第四スライダの左端面には移動板が固定的に設置され、前記移動板の中には前方へ開口した第四スライド溝が形成され、前記第四スライド溝の中には第五スライダがスライドできるように設置され、前記ガラス容器貯蔵箱が前記第五スライダの前端面に固定的に連結され、前記後支持板の前端面には上モータが固定的に設置され、前記上モータの前端には回転軸が動力が伝達できるように連結され、前記回転軸の前端には回転盤が固定的に設置され、前記回転盤と前記移動板の左端との間にはヒンジ連結ロッドがヒンジにより連結されたことを特徴とする請求項１又は請求項２又は請求項３又は請求項４に記載の吸玉療法に基づいた自動式漢方理学療法設備。
【請求項６】
前記後支持板と前記前支持板の相対端面には相対して開口したガイド溝が対称的に形成され、前記ガイド溝の中にはガイドブロックがスライドできるように設置され、後側の前記ガイドブロックの中には糸巻きモータが固定的に設置され、前記糸巻きモータの前側にはリール軸が動力が伝達できるように連結され、前記リール軸が前側の前記ガイドブロックと回転できるように連結され、前記リール軸には中間ロッドが回転できるように設置され、前記中間ロッドが前記右定位ロッドと回転できるように連結され、前記リール軸にはリールが固定的に設置され、前記リールには引き糸が巻きつくように設置され、前記引き糸が前記ガラス容器貯蔵箱の右端面と固定的に連結されたことを特徴とする請求項１又は請求項２又は請求項３又は請求項４に記載の吸玉療法に基づいた自動式漢方理学療法設備。
【請求項７】
前記ガラス容器貯蔵チャンバの頂壁には下方へ開口した第一スライド溝が形成され、前記第一スライド溝の右壁には回転モータが固定的に設置され、前記回転モータの左側には上リードスクリューが動力が伝達できるように連結され、前記連結ロッドが前記第一スライド溝の中にスライドできるように設置されており、且つ前記上リードスクリューとネジ山により連結されたことを特徴とする請求項１に記載の吸玉療法に基づいた自動式漢方理学療法設備。
【請求項８】
前記推しロッドチャンバの内壁にはゴムストリップが固定的に設置されたことを特徴とする請求項１に記載の吸玉療法に基づいた自動式漢方理学療法設備。
【請求項９】
前記ベースの上端面にはクッションが敷かれていることを特徴とする請求項１に記載の吸玉療法に基づいた自動式漢方理学療法設備。
【発明の詳細な説明】
【技術分野】
【０００１】
本発明は機械技術分野を取り上げて、具体的には吸玉療法に基づいた自動式漢方理学療法設備である。
【背景技術】
【０００２】
吸玉療法はカッピング療法、吸角法などとも呼ばれ、ガラス容器を道具として、ガラス容器の中の空気を排出し、ガラス容器の中の気圧は大気圧より低くなり、それによってガラス容器が経穴又はガラス容器で吸い付きたい部位に当て、刺激を与え、当てる部位の皮膚を充血、鬱血させ、病気を予防治療する目的を達し、経絡の流れをよくさせ、気と血を順調に流し、腫れを取って痛みを止め、アレルギーや風邪といった症状を緩和する効果があり、適応する範囲が比較的に広い。
従来の吸玉療法は一般的に人で施され、施す人の水平が異なるため、一定のリスクが存在し、しかも時間と精力とがかかり、効率が低く、自動化を実現しにくく、上記の欠点に対して、本発明は改善を行った。
【先行技術文献】
【特許文献】
【０００３】
【特許文献１】中国特許出願公開第１０６９６３６０９号明細書
【発明の概要】
【発明が解決しようとする課題】
【０００４】
本発明は吸玉療法に基づいた自動式漢方理学療法設備を提供し、水銀を含む重金属に汚染された土地を治理修復する作業の効率が低くて自動化を実現しにくいという問題を解決することを目的とする。
【課題を解決するための手段】
【０００５】
本発明は以下の技術プランによって実現される：本発明の吸玉療法に基づいた自動式漢方理学療法設備は、主にベース及び前記ベースの前後端面に前後対称的に形成された調節溝を含み、前記調節溝の中には調節ブロックがスライドできるように設置され、後側の前記調節ブロックの後端には後支持板が固定的に設置され、前側の前記調節ブロックの前端には前支持板が固定的に設置され、前記後支持板と前記前支持板との間には定位機構とカッピング機構とが設置され、
前記定位機構は前記後支持板と前記前支持板との間に設置された左定位ロッドと、右定位ロッドとを含み、前記左定位ロッドと前記右定位ロッドとが左右にスライドできるように設置され、前記左定位ロッドが前記右定位ロッドの左側に位置しており、前記左定位ロッドと前記右定位ロッドとがそれぞれ左側の始点及び右側の終点に位置を定めることができ、
前記カッピング機構はガラス容器貯蔵箱を含み、前記ガラス容器貯蔵箱の中にはガラス容器貯蔵チャンバと推しロッドチャンバとが設置され、前記ガラス容器貯蔵チャンバが前記推しロッドチャンバと連通しており、前記推しロッドチャンバが下方へ開口しており、前記ガラス容器貯蔵チャンバの中には四つの吸玉が貯蔵され、前記吸玉の頂壁には上下に貫通している貫通孔が設置され、前記貫通孔の中には逆止め弁が設置され、前記吸玉の上端面には上方へ開口した環状溝が形成され、前記ガラス容器貯蔵チャンバの頂壁には左右にスライドできる連結ロッドが設置され、前記連結ロッドの左端が前記吸玉に当接しており、前記推しロッドチャンバの頂壁には電動推しロッドが固定的に設置され、前記電動推しロッドの下側には推しロッドが設置され、前記推しロッドの下端には推し板が固定的に設置され、前記推し板の中には抽気ポンプが固定的に設置され、前記抽気ポンプの下側には通気管が連結され、
前記カッピング機構と前記左定位ロッドとが同期運動し、前記定位機構が定位し終わった後、前記カッピング機構が起動してカッピングを行う。
【０００６】
更に、前記後支持板の中には前方へ開口した第二スライド溝が形成され、前記第二スライド溝の中には第二スライダと第三スライダとが設置され、前記第三スライダと前記第二スライダの前端面には装着軸が固定的に設置され、前記右定位ロッド及び前記左定位ロッドの後端が前記装着軸と回転できるように連結され、前記右定位ロッド及び前記左定位ロッドの前端面には固定軸が回転できるように設置され、前記前支持板の後端面には後方へ開口した軸スライド溝が形成され、前記固定軸が前記軸スライド溝の中にスライドできるように設置された。
【０００７】
更に、前記第三スライダと前記第二スライダの後端面の中には後方へ開口した空き溝が形成され、前記第三スライダの左端面には伝動ロッドが固定的に設置され、前記伝動ロッドの右端が前記第二スライダと当接しており、前記後支持板の中には前記第二スライド溝の後側に位置しており、且つ前記第二スライド溝と連通しているリードスクリューチャンバが設置され、前記リードスクリューチャンバの右壁には下モータが固定的に設置され、前記下モータの左側には下リードスクリューが動力が伝達できるように連結され、前記下リードスクリューにはナットがネジ山により連結され、前記ナットの外面には二つの第一挿入板が固定的に設置され、左右の前記第一挿入板の間が九十度になるように設置され、右側の前記第一挿入板が前記第三スライダの中の前記空き溝の中に挿入され、前記ナットの中には左右に貫通している二つの定位孔が設置され、二つの前記定位孔の間の角度が九十度であり、前記後支持板の中には前記リードスクリューチャンバに連通している定位板溝が形成され、前記定位板溝の中には定位板がスライドできるように設置され、前記定位板と前記定位板溝の後壁との間には復帰ばねが連結され、前記定位板の後端面には前記後支持板の後側まで伸びている制御ロッドが固定的に設置され、前記定位板の前端面には後側の前記定位孔の中に挿入された定位ロッドが固定的に設置され、前記定位ロッドと前記リードスクリューチャンバの左右の長さが同じである。
【０００８】
更に、前記ガラス容器貯蔵箱が前記左定位ロッドと前記右定位ロッドとの上側に位置しており、前記左定位ロッドの左端面には固定板が固定的に設置され、前記ガラス容器貯蔵箱の左端面には連動ロッドが固定的に設置され、前記連動ロッドの中には下方へ開口したばねチャンバが設置され、前記ばねチャンバの中にはスライドロッドがスライドできるように設置され、前記スライドロッドの下端が前記固定板の上端面と当接し、前記スライドロッドと前記ばねチャンバの頂壁との間にはばねが連結された。
【０００９】
更に、前記後支持板の前端面にはスタンド板が固定的に設置され、前記スタンド板の中には左方へ開口した第三スライド溝が形成され、前記第三スライド溝の中には上下にスライドできる第四スライダがスライドできるように設置され、前記第四スライダの左端面には移動板が固定的に設置され、前記移動板の中には前方へ開口した第四スライド溝が形成され、前記第四スライド溝の中には第五スライダがスライドできるように設置され、前記ガラス容器貯蔵箱が前記第五スライダの前端面に固定的に連結され、前記後支持板の前端面には上モータが固定的に設置され、前記上モータの前端には回転軸が動力が伝達できるように連結され、前記回転軸の前端には回転盤が固定的に設置され、前記回転盤と前記移動板の左端との間にはヒンジ連結ロッドがヒンジにより連結された。
【００１０】
更に、前記後支持板と前記前支持板の相対端面には相対して開口したガイド溝が対称的に形成され、前記ガイド溝の中にはガイドブロックがスライドできるように設置され、後側の前記ガイドブロックの中には糸巻きモータが固定的に設置され、前記糸巻きモータの前側にはリール軸が動力が伝達できるように連結され、前記リール軸が前側の前記ガイドブロックと回転できるように連結され、前記リール軸には中間ロッドが回転できるように設置され、前記中間ロッドが前記右定位ロッドと回転できるように連結され、前記リール軸にはリールが固定的に設置され、前記リールには引き糸が巻きつくように設置され、前記引き糸が前記ガラス容器貯蔵箱の右端面と固定的に連結された。
【００１１】
更に、前記ガラス容器貯蔵チャンバの頂壁には下方へ開口した第一スライド溝が形成され、前記第一スライド溝の右壁には回転モータが固定的に設置され、前記回転モータの左側には上リードスクリューが動力が伝達できるように連結され、前記連結ロッドが前記第一スライド溝の中にスライドできるように設置されており、且つ前記上リードスクリューとネジ山により連結された。
【００１２】
更に、前記推しロッドチャンバの内壁にはゴムストリップが固定的に設置された。
【００１３】
更に、前記ベースの上端面にはクッションが敷かれている。
【発明の効果】
【００１４】
本発明の有益効果は：本発明は調節できる機能と定位機能を有し、違う人に適応でき、本発明を使用して定位した後、本発明が自動的に背部で均一的にカッピングを行い、カッピングを自動的に施すことを実現し、施す人が手法に慣れていないため危険をもたらすことを避け、カッピングの効率を大いに上げ、労働力を節約し、カッピングのコストを下げる。
【図面の簡単な説明】
【００１５】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の全体構成模式図
【図２】図２は図１のＡ―Ａのところの構成模式図
【図３】図３は図２のＢ―Ｂのところの構成模式図
【図４】図４は図２のＣ―Ｃのところの構成模式図
【図５】図５は図１のＤ―Ｄのところの構成模式図
【図６】図６は図１のＥ―Ｅのところの構成模式図
【図７】図７は図１のＦのところの構成模式図
【図８】図８は図１のＧのところの構成模式図
【発明を実施するための形態】
【００１７】
図１〜８を参照し、本発明の吸玉療法に基づいた自動式漢方理学療法設備は、主にベース１０及び前記ベース１０の前後端面に前後対称的に形成された調節溝４１を含み、前記調節溝４１の中には調節ブロック４２がスライドできるように設置され、後側の前記調節ブロック４２の後端には後支持板１２が固定的に設置され、前側の前記調節ブロック４２の前端には前支持板４０が固定的に設置され、前記後支持板１２と前記前支持板４０との間には定位機構９０とカッピング機構９１とが設置された。  
【００１８】
前記定位機構９０は前記後支持板１２と前記前支持板４０との間に設置された左定位ロッド３２と、右定位ロッド２９とを含み、前記左定位ロッド３２と前記右定位ロッド２９とが左右にスライドできるように設置され、前記左定位ロッド３２が前記右定位ロッド２９の左側に位置しており、前記左定位ロッド３２と前記右定位ロッド２９とがそれぞれ左側の始点及び右側の終点に位置を定めることができる。
【００１９】
前記カッピング機構９１はガラス容器貯蔵箱１７を含み、前記ガラス容器貯蔵箱１７の中にはガラス容器貯蔵チャンバ２２と推しロッドチャンバ１９とが設置され、前記ガラス容器貯蔵チャンバ２２が前記推しロッドチャンバ１９と連通しており、前記推しロッドチャンバ１９が下方へ開口しており、前記ガラス容器貯蔵チャンバ２２の中には四つの吸玉２８が貯蔵され、前記吸玉２８の頂壁には上下に貫通している貫通孔６９が設置され、前記貫通孔６９の中には逆止め弁７０が設置され、前記吸玉２８の上端面には上方へ開口した環状溝７１が形成され、前記ガラス容器貯蔵チャンバ２２の頂壁には左右にスライドできる連結ロッド２７が設置され、前記連結ロッド２７の左端が前記吸玉２８に当接しており、前記推しロッドチャンバ１９の頂壁には電動推しロッド１８が固定的に設置され、前記電動推しロッド１８の下側には推しロッド６７が設置され、前記推しロッド６７の下端には推し板６８が固定的に設置され、前記推し板６８の中には抽気ポンプ７２が固定的に設置され、前記抽気ポンプ７２の下側には通気管７３が連結された。
【００２０】
前記カッピング機構９１と前記左定位ロッド３２とが同期運動し、前記定位機構９０が定位し終わった後、前記カッピング機構９１が起動してカッピングを行う。
【００２１】
前記後支持板１２の中には前方へ開口した第二スライド溝３８が形成され、前記第二スライド溝３８の中には第二スライダ５７と第三スライダ４７とが設置され、前記第三スライダ４７と前記第二スライダ５７の前端面には装着軸４６が固定的に設置され、前記右定位ロッド２９及び前記左定位ロッド３２の後端が前記装着軸４６と回転できるように連結され、前記右定位ロッド２９及び前記左定位ロッド３２の前端面には固定軸４３が回転できるように設置され、前記前支持板４０の後端面には後方へ開口した軸スライド溝４４が形成され、前記固定軸４３が前記軸スライド溝４４の中にスライドできるように設置された。
【００２２】
前記第三スライダ４７と前記第二スライダ５７の後端面の中には後方へ開口した空き溝５６が形成され、前記第三スライダ４７の左端面には伝動ロッド３０が固定的に設置され、前記伝動ロッド３０の右端が前記第二スライダ５７と当接しており、前記後支持板１２の中には前記第二スライド溝３８の後側に位置しており、且つ前記第二スライド溝３８と連通しているリードスクリューチャンバ４５が設置され、前記リードスクリューチャンバ４５の右壁には下モータ５８が固定的に設置され、前記下モータ５８の左側には下リードスクリュー５９が動力が伝達できるように連結され、前記下リードスクリュー５９にはナット４９がネジ山により連結され、前記ナット４９の外面には二つの第一挿入板６０が固定的に設置され、左右の前記第一挿入板６０の間が九十度になるように設置され、右側の前記第一挿入板６０が前記第三スライダ４７の中の前記空き溝５６の中に挿入され、前記ナット４９の中には左右に貫通している二つの定位孔５５が設置され、二つの前記定位孔５５の間の角度が九十度であり、前記後支持板１２の中には前記リードスクリューチャンバ４５に連通している定位板溝５１が形成され、前記定位板溝５１の中には定位板５０がスライドできるように設置され、前記定位板５０と前記定位板溝５１の後壁との間には復帰ばね５３が連結され、前記定位板５０の後端面には前記後支持板１２の後側まで伸びている制御ロッド５２が固定的に設置され、前記定位板５０の前端面には後側の前記定位孔５５の中に挿入された定位ロッド５４が固定的に設置され、前記定位ロッド５４と前記リードスクリューチャンバ４５の左右の長さが同じである。
【００２３】
前記ガラス容器貯蔵箱１７が前記左定位ロッド３２と前記右定位ロッド２９との上側に位置しており、前記左定位ロッド３２の左端面には固定板３３が固定的に設置され、前記ガラス容器貯蔵箱１７の左端面には連動ロッド７８が固定的に設置され、前記連動ロッド７８の中には下方へ開口したばねチャンバ３６が設置され、前記ばねチャンバ３６の中にはスライドロッド３４がスライドできるように設置され、前記スライドロッド３４の下端が前記固定板３３の上端面と当接し、前記スライドロッド３４と前記ばねチャンバ３６の頂壁との間にはばね３１が連結された。
【００２４】
前記後支持板１２の前端面にはスタンド板２６が固定的に設置され、前記スタンド板２６の中には左方へ開口した第三スライド溝２５が形成され、前記第三スライド溝２５の中には上下にスライドできる第四スライダ２４がスライドできるように設置され、前記第四スライダ２４の左端面には移動板３７が固定的に設置され、前記移動板３７の中には前方へ開口した第四スライド溝３５が形成され、前記第四スライド溝３５の中には第五スライダ２３がスライドできるように設置され、前記ガラス容器貯蔵箱１７が前記第五スライダ２３の前端面に固定的に連結され、前記後支持板１２の前端面には上モータ６２が固定的に設置され、前記上モータ６２の前端には回転軸１５が動力が伝達できるように連結され、前記回転軸１５の前端には回転盤１４が固定的に設置され、前記回転盤１４と前記移動板３７の左端との間にはヒンジ連結ロッド１３がヒンジにより連結された。
【００２５】
前記後支持板１２と前記前支持板４０の相対端面には相対して開口したガイド溝１６が対称的に形成され、前記ガイド溝１６の中にはガイドブロック６５がスライドできるように設置され、後側の前記ガイドブロック６５の中には糸巻きモータ６６が固定的に設置され、前記糸巻きモータ６６の前側にはリール軸６４が動力が伝達できるように連結され、前記リール軸６４が前側の前記ガイドブロック６５と回転できるように連結され、前記リール軸６４には中間ロッド６３が回転できるように設置され、前記中間ロッド６３が前記右定位ロッド２９と回転できるように連結され、前記リール軸６４にはリール２１が固定的に設置され、前記リール２１には引き糸２０が巻きつくように設置され、前記引き糸２０が前記ガラス容器貯蔵箱１７の右端面と固定的に連結された。
【００２６】
前記ガラス容器貯蔵チャンバ２２の頂壁には下方へ開口した第一スライド溝７７が形成され、前記第一スライド溝７７の右壁には回転モータ７６が固定的に設置され、前記回転モータ７６の左側には上リードスクリュー７５が動力が伝達できるように連結され、前記連結ロッド２７が前記第一スライド溝７７の中にスライドできるように設置されており、且つ前記上リードスクリュー７５とネジ山により連結された。
【００２７】
前記推しロッドチャンバ１９の内壁にはゴムストリップ７４が固定的に設置された。
【００２８】
前記ベース１０の上端面にはクッション１１が敷かれている。
【００２９】
装置全体の機械動作の順序は：
【００３０】
１：使用者がクッション１１の上に腹這いになる。
【００３１】
２：後支持板１２と前支持板４０の高度を調整し、右定位ロッド２９と左定位ロッド３２とを使用者の背部に当接させる。
【００３２】
３：下モータ５８を始動して下リードスクリュー５９を回転させ、ナット４９が右方へ運動して右側の第一挿入板６０により第三スライダ４７を連動させて左方へ運動させ、第三スライダ４７が伝動ロッド３０により第二スライダ５７を連動させて左方へ運動させ、これにより右定位ロッド２９と左定位ロッド３２とが左方へ運動し、右定位ロッド２９が中間ロッド６３によりリール軸６４を連動させて左方へ運動させる。
【００３３】
４：右定位ロッド２９が腰のところまで運動した時、下モータ５８を停止し、制御ロッド５２を後方へ引き動かすことにより定位ロッド５４が後側の定位孔５５から離脱し、下モータ５８を始動して下リードスクリュー５９を九十度回転させ、左側の第一挿入板６０が第二スライダ５７の中の空き溝５６の中に挿入され、右側の第一挿入板６０が第三スライダ４７から離脱し、制御ロッド５２を放し、定位ロッド５４を定位孔５５の中に挿入する。
【００３４】
５：下モータ５８を始動してナット４９が第二スライダ５７を連動させて左方へ運動させ、これにより左定位ロッド３２が左方へ運動し、左定位ロッド３２がスライドロッド３４と連動ロッド７８とによりガラス容器貯蔵箱１７を連動させて左方へ運動させ、左定位ロッド３２が頚部のところまで運動した時、下モータ５８を閉じる。
【００３５】
６：上モータ６２を始動し、回転盤１４が回転してヒンジ連結ロッド１３により移動板３７を連動させて下方へ運動させ、移動板３７がガラス容器貯蔵箱１７を連動させて一番低いところまで運動させた時に、回転モータ７６を始動して上リードスクリュー７５を回転させ、連結ロッド２７が吸玉２８を推しロッドチャンバ１９の中まで推し動かした後に回転モータ７６を停止し、電動推しロッド１８が起動して推しロッド６７と推し板６８とにより吸玉２８を下方へ押して使用者の皮膚に当接させ、通気管７３が環状溝７１の中に挿入され、抽気ポンプ７２が吸玉２８の中の気体を抽出してカッピングを行い、上モータ６２が始動されて移動板３７を連動させて一番高いところに運動させた後に上モータ６２が閉じられる。
【００３６】
７：糸巻きモータ６６がリール軸６４の前の回転回数によりリール軸６４を連動させて復帰回転させ、毎回に回転総回数の四分の一で回転させ、リール軸６４がリール２１を連動させて回転させて引き糸２０によりガラス容器貯蔵箱１７を右方へ引き動かし、ガラス容器貯蔵箱１７が止まった後、ステップ５を繰り返し、右定位ロッド２９と左定位ロッド３２との間の均一的なカッピングを実現する。
【００３７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020195754.tif 000003
【図２】
2020195754.tif 000004
【図３】
2020195754.tif 000005
【図４】
2020195754.tif 000006
【図５】
2020195754.tif 000007
【図６】
2020195754.tif 000008
【図７】
2020195754.tif 000009
【図８】
2020195754.tif 000010